(57)【要約】【課題】フレキシブルプリント配線板等の可撓性を備えた電力供給部材に張力を与えながらも、電力供給部材と張力付与部材の摩擦係数を小さくし、電力供給部材への負荷を低減する。【解決手段】一端が固定されると共に、他方の一端が走査移動可能な第１キャリッジ１０と共に移動するフレキシブルプリント配線板１１０に張力を付与するための張力付与部材４０を備え、張力付与部材４０の少なくともフレキシブルプリント配線板１１０との接触部に低摩擦部材５０を配置した。【選択図】図５
2008182395.tif 000002
【特許請求の範囲】
【請求項１】
可撓性の基材と、前記基材の表面に所定のパターンで配置された電気回路部と、前記電気回路部及び基材の表面を覆う被覆層を備えてなり、一端が固定されると共に、他方の一端が走査移動可能なキャリッジと共に移動する給電部材に張力を付与するための張力付与部材を備えた給電部材の保持構造において、
前記張力付与部材の少なくとも前記給電部材との接触部を低摩擦係数の材質で形成することを特徴とする給電部材の保持構造。
【請求項２】
前記張力付与部材は、低摩擦係数の素材で形成されることを特徴とする請求項１記載の給電部材の保持構造。
【請求項３】
前記張力付与部材は、その表面に低摩擦係数の摺動部材が配置されていることを特徴とする請求項１記載の給電部材の保持構造。
【請求項４】
前記張力付与部材は、低摩擦係数の摺動部材が少なくとも給電部材の電気回路部に相当する個所に配置されていることを特徴とする請求項１記載の給電部材の保持構造。
【請求項５】
前記張力付与部材は、低摩擦係数の摺動部材が前記張力付与部材のうち前記給電部材に接触する部分に配置されていることを特徴とする請求項３又は４記載の給電部材の保持構造。
【請求項６】
前記低摩擦係数の摺動部材は、フェルト、又は、フェルトに潤滑油を塗布したものであることを特徴とする請求項３ないし５のいずれか記載の給電部材の保持構造。
【請求項７】
前記張力付与部材の幅をＬ１、前記張力付与部材に付与する低摩擦係数の摺動部材の幅をＬ２、パターンの両端の間隔をＬ３としたとき
Ｌ１≧Ｌ２≧Ｌ３
とすることを特徴とする請求項３、５及び６のいずれか記載の給電部材の保持構造。
【請求項８】
光源と第１ミラーを搭載し所定速度で移動可能である第１キャリッジと、第２ミラーと第３ミラーを搭載し前記所定速度の半分の速度で移動可能である第２キャリッジとを備え、これらのキャリッジに沿って移動させながら前記光源の光を原稿に照射し、その反射光を前記第１ミラー、第２ミラー、第３ミラーとで順に反射して、画像情報として読み取り、前記給電部材の一端が前記第１キャリッジと共に移動する画像読取装置において、
請求項１ないし７のいずれか記載の給電部材の保持構造を使用したことを特徴とする画像読取装置。
【請求項９】
請求項８記載の画像読取装置を備えることを特徴とする画像形成装置。
【発明の詳細な説明】
【技術分野】
【０００１】
本発明は、給電部材の保持構造、画像読取装置、画像形成装置に係り、特に可撓性の基材と、前記基材の表面に所定のパターンで配置された電気回路部と、前記電気回路部及び基材の表面を覆う被覆層とを備え、一端が固定されると共に、他方の一端が走査移動可能なキャリッジと共に移動する給電部材に張力を与えるための張力付与部材を配置した給電部材の保持構造、画像読取装置、画像形成装置に関する。
【背景技術】
【０００２】
複写機、スキャナ等、紙面等に表された原稿の画像データを読み取って各種の処理に提供する画像読取装置は、原稿に照明ランプ等の光源から光を照射し、その反射光をＣＣＤ等の光電変換デバイスを備えた受光部に入射させるようにしてある。
【０００３】
図７及び図８は従来の画像読取装置の断面図である。このような原稿静止型の画像読取装置では、コンタクトガラス上に載置された原稿に対して前記照明ランプ１１を移動させながらその光を照射する。照明ランプ１１は第１キャリッジ１０に搭載されて、該第１キャリッジ１０が駆動され主走査方向に移動するようにしてある。
【０００４】
照明ランプ１１は最大サイズの原稿に対してもその全域に光を照射しなければならないから、前記第１キャリッジ１０は前記ガラスの一端部を臨む位置から他端部を臨む位置にわたって移動する。
【０００５】
原稿から光電変換素子に反射光を導くためには３つのミラー１３，２１，２２が用いられており、原稿から受光部へ至る光路長を、原稿に対する照射位置が変化した場合であっても一定に保つため、第２ミラー２１、第３ミラー２２を搭載した第２キャリッジ２０は前記照明ランプ１１フルレートキャリッジの１／２の速度で、第１キャリッジ１０と同期して同方向へ移動する。このようにして原稿からの反射光を前記第１キャリッジ１０に搭載された第１ミラー１３で反射させ、第２ミラー２１と第３ミラー２２で順次反射させて受光部へ導いている。
【０００６】
ところで照明ランプ１１とランプ駆動用の電源回路の出力部１２０とは、第１キャリッジ１０の移動の円滑性を損なわないように、可撓性を備えた電力供給部材であるフレキシブルプリント配線板１１０によって接続されている。このフレキシブルプリント配線板１１０は、可撓性の基材と、前記基材の表面に所定の形状にパターニングされた電気回路部と、前記電気回路部と基材の表面を覆う被覆層を備えてなるものである。フレキシブルプリント配線板１１０は、第１キャリッジ１０の走査時の移動先から装置本体１０１をなす筺体の底面を這わせ、前記第２キャリッジ２０を経由させて照明ランプ１１に達している。このため、フレキシブルプリント配線板１１０は、第２キャリッジ２０部分においてガイド部材３０で湾曲されて反対方向へ向けられ、空中を渡して第１キャリッジ１０にまでに至っている。
【０００７】
このような状態では柔軟性のあるフレキシブルプリント配線板１１０には、自重によるたわみが発生することとなり、特に第１キャリッジ１０と第２キャリッジ２０とが最も離れているときにたわみ量は最大となる。そして、フレキシブルプリント配線板１１０が画像領域内にある場合は、たわみ量が多くなることにより光路ｂを遮ってしまい画像不良が発生してしまう。
【０００８】
図７に示す例では、第１キャリッジ１０と第２キャリッジ２０が近接しており、フレキシブルプリント配線板のたわみ量は非常に小さい。しかし、Ａ３サイズなど大きい原稿を読み取るときには、図８に示すように、第１キャリッジ１０と第２キャリッジ２０の間隔が広くなり、フレキシブルプリント配線板１１０が自重によってたわんだ状態となっており、第１ミラー１３と第２ミラー２１間の光路ｂを遮ってしまうこととなる。
【０００９】
このような事態に対処するため、特許文献１には原稿ランプへの給電ケーブルが、原稿走査の際の移動によりたるまないようにするため、給電ケーブルに張力を付勢する弾性部材を設けたものが記載されている。
【特許文献１】特開２０００−７８３６７号公報
【発明の開示】
【発明が解決しようとする課題】
【００１０】
ところで、フレキシブルプリント配線板に一定の張力を付与する場合、フレキシブルプリント配線板よりもコシが強い弾性部材であることが要求される。特開２０００−７８３６７では、ＰＥＴで構成することで、張力付与しているが、この場合フレキシブルプリント配線板との摩擦係数が大きくなってしまう。
【００１１】
すると、長寿命を要求される機械ではフレキシブルプリント配線板の表面が削れてしまいスキャナユニット機内に削れカスが飛散したり、フレキシブルプリント配線板に与える負荷によってパターンの断線などが発生したりする場合がある。
【００１２】
そこで本発明の目的は、フレキシブルプリント配線板等の可撓性を備えた電力供給部材に張力を与えながらも、電力供給部材と張力付与部材の摩擦係数を小さくし、電力供給部材への負荷を低減することである。
【課題を解決するための手段】
【００１３】
請求項１の発明は、可撓性の基材と、前記基材の表面に所定のパターンで配置された電気回路部と、前記電気回路部及び基材の表面を覆う被覆層を備えてなり、一端が固定されると共に、他方の一端が走査移動可能なキャリッジと共に移動する給電部材に張力を付与するための張力付与部材を備えた給電部材の保持構造において、前記張力付与部材の少なくとも前記給電部材との接触部を低摩擦係数の材質で形成することを特徴とする給電部材の保持構造である。
【００１４】
請求項２の発明は、請求項１記載の給電部材の保持構造において、前記張力付与部材は、低摩擦係数の素材で形成されることを特徴とする。
【００１５】
請求項３の発明は、請求項１記載の給電部材の保持構造において、前記張力付与部材は、その表面に低摩擦係数の摺動部材が配置されていることを特徴とする。
【００１６】
請求項４の発明は、請求項１記載の給電部材の保持構造において、前記張力付与部材は、低摩擦係数の摺動部材が少なくとも給電部材の電気回路部に相当する個所に配置されていることを特徴とする。
【００１７】
請求項５の発明は、請求項３又は４記載の給電部材の保持構造において、前記張力付与部材は、低摩擦係数の摺動部材が前記張力付与部材のうち前記給電部材に接触する部分に配置されていることを特徴とする。
【００１８】
請求項６の発明は、請求項３ないし５のいずれか記載の給電部材の保持構造において、前記低摩擦係数の摺動部材は、フェルト、又は、フェルトに潤滑油を塗布したものであることを特徴とする。
【００１９】
請求項７の発明は、請求項３、５及び６のいずれか記載の給電部材の保持構造において、前記張力付与部材の幅をＬ１、前記張力付与部材に付与する低摩擦係数の摺動部材の幅をＬ２、パターンの両端の間隔をＬ３としたときＬ１≧Ｌ２≧Ｌ３となることを特徴とする。
【００２０】
請求項８の発明は、光源と第１ミラーを搭載し所定速度で移動可能である第１キャリッジと、第２ミラーと第３ミラーを搭載し前記所定速度の半分の速度で移動可能である第２キャリッジとを備え、これらのキャリッジに沿って移動させながら前記光源の光を原稿に照射し、その反射光を前記第１ミラー、第２ミラー、第３ミラーとで順に反射して、画像情報として読み取り、前記給電部材の一端が前記第１キャリッジと共に移動する画像読取装置において、請求項１ないし７のいずれか記載の給電部材の保持構造を使用することを特徴とする画像読取装置である。
【００２１】
請求項９の発明は、請求項８記載の画像読取装置を備えることを特徴とする画像形成装置である。
【発明の効果】
【００２２】
本発明によれば、張力付与部材と給電部材との間の摩擦力が低減されるので、可撓性のある給電部材に張力を与えながらも、給電部材への摩擦による負荷を低減することができる。
【発明を実施するための最良の形態】
【００２３】
以下本発明を実施するための最良の形態としての実施例を図面に基づいて説明する。
【実施例】
【００２４】
以下本発明に係る画像読取装置の実施例について説明する。図１は実施例に係る画像読取装置の構造を示す断面図、図２は実施例に係る画像読取装置の構造を示す平面図である。本例に係る画像読取装置１００は、画像形成装置、例えば複写装置、ファクシミリ装置、プリンタなどの機能を併せ持つ複合画像形成装置に備えられる。
【００２５】
本例に係る画像読取装置１００は、装置本体１０１の上面にコンタクトガラス１０２を配置し、装置本体１０１内に第１キャリッジ１０及び第２キャリッジ２０を備え、これらをキャリッジ駆動用モータ１０９で駆動している。第１キャリッジ１０には照明ランプ１１、リフレクタ１２及び第１ミラー１３を備え、第２キャリッジ２０には、第２ミラー２１、第３ミラー２２を備える。
【００２６】
第１キャリッジ１０は、図中ａで示す画像領域を走査範囲として移動し、第２キャリッジ２０は光路長を一定に保つために、前記第１キャリッジ１０の１／２の速度で、該第１キャリッジ１０と同期して同方向へ移動する。
【００２７】
また、前記装置本体１０１には、前記コンタクトガラス１０２に隣接して温度検出用のサーミスタ１０３、原稿配置のための原稿スケール１０４、色構成用の白色基準板１０５を備える他、原稿の有無大きさを検出する原稿検知センサ１０６、原稿像を結像させるレンズ１０７及び光電変換素子であるＣＣＤラインセンサ１０８を備えている。
【００２８】
また、前記照明ランプ１１とランプ駆動用の電源回路の出力部１２０とは、第１キャリッジ１０の移動の円滑性を損なわないように可撓性を備えた電力供給部材であるフレキシブルプリント配線板１１０によって接続されている。このフレキシブルプリント配線板１１０は、第１キャリッジ１０の走査時の移動先から装置本体１０１である筺体の底面を這わせ、前記第２キャリッジ２０を経由させて照明ランプ１１に達している。このため、フレキシブルプリント配線板１１０は、第２キャリッジ２０に取付けられたガイド部材３０で円弧に沿って反対方向に向け湾曲されて、第１キャリッジ１０にまで渡されている。
【００２９】
ガイド部材３０及びフレキシブルプリント配線板１１０は、図２に示すように前記キャリッジ駆動用モータ１０９と前記原稿検知センサ１０６との間に配置するようにしている。
【００３０】
このように、照明ランプ１１から光を放射して原稿面の読取位置を照明し、原稿面からの光は第１ミラー１３、第２ミラー２１、第３ミラー２２で反射され、レンズ１０７を通して読取手段であるＣＣＤラインセンサ１０８で電気信号に変換される。その後、所定のモード設定に従いフルカラーモード又は白黒モードで画像形成動作を行う。
【００３１】
図３は画像読取装置の構成を示す斜視図である。フレキシブルプリント配線板１１０は、可撓性の基材上に電気回路部１１１が所定の形状にパターニングされ、その表面を被覆層で覆って形成されている。
【００３２】
また、第１キャリッジには２本の照明ランプ１１を搭載している。それぞれの照明ランプ１１と、フレキシブル基板取付部２５との間には、給電用の電線２４接続され、電線２４は第１キャリッジ１０上に延設されている。電線２４及びフレキシブルプリント配線板１１０はコネクタで結合される。
【００３３】
第２キャリッジ２０には、フレキシブルプリント配線板１１０の配置方向を変更するガイド部材３０が取付けられている。このガイド部材３０は、所定の屈曲半径で、フレキシブルプリント配線板１１０を湾曲させる。下方に這いまわされたフレキシブルプリント配線板１１０の他端は、装置本体１０１に配置されている出力部１２０に固定される（図６参照）。
【００３４】
図４は実施例に係るガイド部材の基本的構成を示す一部切欠斜視図である。ガイド部材３０は、半円弧板状である２枚一対のガイド部３１に挟まれて円弧面の湾曲部３２が形成されている。この湾曲部３２はガイド部材３０の中央付近から段部３３、３４を形成して、空間部３５を形成している。張力付与部材４０はＰＥＴ薄板からなり、その両端を折り返して、湾曲形成された上側折曲部４４及び下側折曲部４５を形成している。これらの上側折曲部４４及び下側折曲部４５は、フレキシブルプリント配線板１１０を円滑に案内するための他、張力付与部材４０の端縁でフレキシブルプリント配線板１１０を傷つけないために設けられる。
【００３５】
また、張力付与部材４０の上側折曲部４４、下側折曲部４５の間には、接着部４１が設けられている。張力付与部材４０は、この接着部４１において、両面テープでガイド部材３０の湾曲部３２に貼り付け固定される。そして、接着部４１の両側部４２，４３においては張力付与部材４０は弾性的に変形できる状態となり、フレキシブルプリント配線板１１０に張力を付勢するものとなる。
【００３６】
次に張力付与部材４０の詳細な構成について説明する。図５は第１の実施例に係る張力付与部材を取付けたガイド部材を示す斜視図である。本例では、ガイド部材３０に取付けられた張力付与部材４０の上側折曲部４４にフェルトから構成される低摩擦部材５０を配置している。この低摩擦部材５０は、両面テープを使用して貼付されている。
【００３７】
張力付与部材４０において、上側折曲部４４は、フレキシブルプリント配線板１１０に対して負荷をかける領域であり、張力付与部材４０の接着部４１よりも摩擦力が大きくなってしまう。そのため、本実施例では少なくとも張力付与部分である上側折曲部４４に低摩擦部材５０を設けフレキシブルプリント配線板１１０との間の摩擦力が低減するようにしている。
【００３８】
本例では、張力付与部材４０の幅をＬ１（図３参照）、低摩擦部材の幅をＬ２（図４参照）、フレキシブルプリント配線板１１０の電気回路部１１１パターンの両端の間隔をＬ３（図３参照）としたとき、Ｌ１≧Ｌ２≧Ｌ３としている。即ち、低摩擦部材５０の長さ寸法Ｌ２を、フレキシブルプリント配線板１１０の電気回路部１１１のパターンの両端の間隔寸法Ｌ３以上とし、張力付与部材４０の幅寸法Ｌ１以下としている。尚、前記低摩擦部材５０は、フェルトに潤滑油を塗布したのでもよい。
【００３９】
次に第２の実施例について説明する。図６は第２の実施例に係る張力付与部材を取付けたガイド部材を示す斜視図である。本例では、フレキシブルプリント配線板１１０の電気回路部１１１がパターニングされている個所に相当する個所に２本の低摩擦部材６０を取付けている。本実施例では、フレキシブルプリント配線板１１０に５本配置した電気回路部１１１の最外側のパターンに相当する個所にのみに低摩擦部材６０を貼り付けている。尚、この低摩擦部材は、第１の実施例と同様に、上側折曲部にのみに貼り付けても、フレキシブルプリント配線板への負荷を低減することができる。
【００４０】
尚、上記の各例では、張力付与部材４０に低摩擦部材を配置するようにしたが、張力付与部材４０自体を低摩擦部材で形成することができる。
【００４１】
以上説明したように、本発明によれば、フレキシブルプリント配線板に張力を与えながらも、フレキシブルプリント配線板と張力付与部材の摩擦係数を小さくし、フレキシブルプリント配線板への負荷を低減することができる。また、本発明は、フレキシブルプリント配線板に張力を与えるための張力付与部材に、従来から使用されてきたコシの強いＰＥＴ材を用いたとしてもフレキシブルプリント配線板と接する面での摩擦係数を小さくすることができであり、十分な張力付与と摩擦係数を低減させることが両立することができる。
【図面の簡単な説明】
【００４２】
【図１】実施例に係る画像読取装置の構造を示す断面図である。
【図２】実施例に係る画像読取装置の構造を示す平面図である。
【図３】画像読取装置の構成を示す斜視図である。
【図４】実施例に係るガイド部材の基本的構成を示す一部切欠斜視図である。
【図５】第１の実施例に係る張力付与部材を取付けたガイド部材を示す斜視図である。
【図６】第２の実施例に係る張力付与部材を取付けたガイド部材を示す斜視図である。
【図７】従来の画像読取装置の断面図である。
【図８】従来の画像読取装置の断面図である。
【符号の説明】
【００４３】
１０  第１キャリッジ
１１  照明ランプ
１２  リフレクタ
１３  第１ミラー
２０  第２キャリッジ
２１  第２ミラー
２２  第３ミラー
２４  電線
２５  フレキシブル基板取付部
３０  ガイド部材
３１  ガイド部
３２  湾曲部
３３，３４  段部
３５  空間部
４０  張力付与部材
４１  接着部
４２，４３  側部
４４  上側折曲部
４５  下側折曲部
５０  低摩擦部材
６０  低摩擦部材
１００  画像読取装置
１０１  装置本体
１０２  コンタクトガラス
１０３  サーミスタ
１０４  原稿スケール
１０５  白色基準板
１０６  原稿検知センサ
１０７  レンズ
１０８  ＣＣＤラインセンサ
１０９  キャリッジ駆動用モータ
１１０  フレキシブルプリント配線板
１１１  電気回路部
１２０  出力部
【図１】
2008182395.tif 000003
【図２】
2008182395.tif 000004
【図３】
2008182395.tif 000005
【図４】
2008182395.tif 000006
【図５】
2008182395.tif 000007
【図６】
2008182395.tif 000008
【図７】
2008182395.tif 000009
【図８】
2008182395.tif 000010